【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
通路によって横方向に分離された縦方向に延びる少なくとも２つの積層棚であって、前記棚の各々が複数のレベルを有し、前記レベルの各々に保管場所を含む、積層棚と、
前記レベルの各々における自動台車であって、前記自動台車が、関連する前記通路に沿って縦方向に走行し、そのレベルで前記棚の各々から物品を入出庫するように適合された、自動台車と、
前記積層棚の前記レベルから物品を入出庫するリフト装置とを含み、前記リフト装置は、少なくとも１つの前記棚に対して１つ以上のリフトアセンブリを含み、前記少なくとも１つの前記棚は棚高さを有し、前記リフトアセンブリの各々は、前記少なくとも１つの前記棚の棚高さで延びる垂直マストと前記マストに沿って昇降するリフトプラットフォームとを有する
自動倉庫システム。
【請求項２】
前記リフト装置は、前記少なくとも１つの前記棚に対して少なくとも２つのリフトアセンブリを含む
請求項１に記載のシステム。
【請求項３】
前記リフト装置は、前記棚の各々に対して少なくとも２つのリフトアセンブリを含む
請求項２に記載のシステム。
【請求項４】
通路によって横方向に分離された縦方向に延びる少なくとも２つの積層棚であって、前記棚の各々が複数のレベルを有し、前記レベルの各々に保管場所を含む、積層棚と、
前記レベルの各々における自動台車であって、前記自動台車が、関連する前記通路に沿って縦方向に走行し、そのレベルで前記棚の各々から物品を入出庫するように適合された、自動台車と、
前記積層棚の前記レベルから物品を入出庫するリフト装置とを含み、前記リフト装置は、少なくとも１つの前記棚に対して１つ以上のリフトアセンブリを含み、前記リフトアセンブリの各々は、垂直マストと前記マストに沿って昇降するリフトプラットフォームとを有し、前記台車は、少なくとも１つの前記棚内の物品の少なくとも２つの離間した列から物品を入出庫することが可能であり、前記列の各々は前記通路から異なる距離にあり、少なくとも２つのリフトアセンブリは、前記少なくとも２つの列と横方向に整列している
自動倉庫システム。
【請求項５】
前記通路から最も遠い前記列の１つと整列している、前記横方向に離間したリフトアセンブリから入出庫される物品を一時的に支持する通過支持部を含む
請求項４に記載のシステム。
【請求項６】
前記リフトアセンブリの各々から物品を受け渡しするアクセスコンベヤを含む
請求項１に記載のシステム。
【請求項７】
前記リフトアセンブリ用の前記アクセスコンベヤは異なる高さに位置する
請求項６に記載のシステム。
【請求項８】
前記異なる高さ毎に１つ存在する複数のピッキングステーションを含み、前記ピッキングステーションは、前記積層棚の前記リフトアセンブリ用の前記アクセスコンベヤに隣接して位置する
請求項７に記載のシステム。
【請求項９】
少なくとも１つの前記リフトアセンブリ用の複数のアクセスコンベヤを含む
請求項６に記載のシステム。
【請求項１０】
少なくとも１つの前記アクセスコンベヤと接続された物品供給コンベヤを含む
請求項６に記載のシステム。
【請求項１１】
少なくとも１つの前記棚の前記少なくとも２つのリフトアセンブリ用の前記リフトアセンブリは前記棚から異なる距離を隔てて位置する
請求項４に記載のシステム。
【請求項１２】
前記通路から最も遠い前記物品の列と整列している前記リフトアセンブリのうちの１つは、前記通路に最も近い前記物品の列と整列している前記リフトアセンブリのうちの１つよりも前記棚に近い
請求項１１に記載のシステム。
【請求項１３】
通路によって横方向に分離された縦方向に延びる少なくとも２つの積層棚を有する自動倉庫システムから物品を入出庫する方法であって、前記棚の各々は複数のレベルを有し、前記レベルの各々に保管場所と前記レベルの各々における自動台車とを含み、前記自動台車は、前記関連する通路に沿って縦方向に走行し、そのレベルで前記棚の各々から物品を入出庫するように適合されたものであり、前記方法は、
前記積層棚の前記レベルにリフト装置を動かすステップであって、前記リフト装置が少なくとも１つの前記棚に対して１つ以上のリフトアセンブリを含み、前記少なくとも１つの前記棚は棚高さを有し、前記リフトアセンブリの各々は、前記少なくとも１つの前記棚の棚高さで延びる垂直マストと前記マストに沿って昇降するリフトプラットフォームとを有する、ステップと、
前記１つ以上の前記リフトアセンブリで前記少なくとも１つの前記棚から物品を入出庫するステップとを含む
方法。
【請求項１４】
前記リフト装置は、前記少なくとも１つの前記棚に対して少なくとも２つのリフトアセンブリを含む
請求項１３に記載の方法。
【請求項１５】
前記リフト装置は、前記棚の各々に対して少なくとも２つのリフトアセンブリを含む
請求項１４に記載のシステム。
【請求項１６】
通路によって横方向に分離された縦方向に延びる少なくとも２つの積層棚を有する自動倉庫システムから物品を入出庫する方法であって、前記棚の各々は複数のレベルを有し、前記レベルの各々に保管場所と前記レベルの各々における自動台車とを含み、前記自動台車は、前記関連する通路に沿って縦方向に走行し、そのレベルで前記棚の各々から物品を入出庫するように適合されたものであり、前記方法は、
前記積層棚の前記レベルにリフト装置を動かすステップであって、前記リフト装置が少なくとも１つの前記棚に対して１つ以上のリフトアセンブリを含み、前記リフトアセンブリの各々は、垂直マストと前記マストに沿って昇降するリフトプラットフォームとを有し、前記台車は、少なくとも１つの前記棚内の物品の少なくとも２つの離間した列から物品を入出庫することが可能であり、前記列の各々は前記通路から異なる距離にあり、少なくとも２つのリフトアセンブリは、前記少なくとも２つの列と整列しており、前記台車を用いて、前記少なくとも２つのリフトアセンブリのうちの一方へ物品を送り、前記少なくとも２つのリフトアセンブリの他方から物品を取り出す、ステップを含む
方法。
【請求項１７】
前記通路から最も遠い前記列の１つと整列している、前記横方向に離間したリフトアセンブリから入出庫される物品を一時的に支持する通過支持部を含み、物品が前記通過支持部によって支持されている間に、前記横方向に離間したリフトアセンブリから物品を入出庫するステップを含む
請求項１６に記載の方法。
【請求項１８】
前記リフトアセンブリの各々から物品を受け渡しするアクセスコンベヤを含む
請求項１３に記載の方法。
【請求項１９】
前記棚の各々の前記リフトアセンブリ用の前記アクセスコンベヤは高さが異なる
請求項１８に記載の方法。
【請求項２０】
各々が前記異なる高さ毎に存在する複数のピッキングステーションを含み、前記ピッキングステーションは、前記積層棚の前記リフトアセンブリ用の前記コンベヤに隣接して位置し、前記リフトアセンブリ用の積層棚から入出庫される容器で構成される物品から品物をピッキングするか、または前記物品へ品物を投入するステップを含む
請求項１９に記載の方法。
【請求項２１】
少なくとも１つの前記棚の前記少なくとも２つのリフトアセンブリは前記棚から異なる縦方向の距離を隔てて位置する
請求項１６に記載の方法。
【請求項２２】
前記通路から最も遠い前記物品の列と整列している前記リフトアセンブリのうちの１つは、前記通路に最も近い前記物品の列と整列している前記リフトアセンブリのうちの１つよりも前記棚に近い
請求項２１に記載の方法。